(57)【要約】【課題】肌が乾燥することなく、身体の芯まで温めることができ、しかも電子レンジによって簡単に加熱することができ、かつ再び加熱して使用することができるなど使用に便利である。【解決手段】健康具は、通気性及び耐熱性を有する袋と、袋に封入されて加熱されてなる多数の米とを有する。袋には、封入された多数の米を収容する収容室を区画する区画線部を設けた。袋には、取付紐や孔を設けた。【選択図】図３
0003136407.tif 000002
【実用新案登録請求の範囲】
【請求項１】
通気性及び耐熱性を有する袋と、
前記袋に封入されて加熱されてなる多数の米とを有することを特徴とする健康具。
【請求項２】
前記袋に、前記封入された多数の米を収容する収容室を区画する区画線部を設けたことを特徴とする請求項１に記載の健康具。
【請求項３】
前記袋に、取付紐を設けたことを特徴とする請求項１または請求項２に記載の健康具。
【請求項４】
前記袋は、一部に開口部を有し、
前記開口部から多数の米を入れて縫い紐で結んで封入したことを特徴とする請求項１に記載の健康具。
【請求項５】
前記袋が、細長枕形状であることを特徴とする請求項１乃至請求項４のいずれか１項に記載の健康具。
【請求項６】
前記袋が、ドーナツ形状であることを特徴とする請求項１乃至請求項４のいずれか１項に記載の健康具。
【請求項７】
前記袋が、お手玉形状であることを特徴とする請求項１乃至請求項４のいずれか１項に記載の健康具。
【請求項８】
前記袋が、身体の患部に応じた形状であることを特徴とする請求項１乃至請求項４のいずれか１項に記載の健康具。
【考案の詳細な説明】
【技術分野】
【０００１】
この発明は、適度の温度に加熱した上で身体に当て温める健康具に関するものである。
【背景技術】
【０００２】
従来、冬季に身体、特に、冷え易い肩や腰を局部的に温めるための保温具として、袋の中へ酸化鉄のような発熱材を収め、外から揉んで発熱させるものが知られている（例えば、特開平１０−２２９９９７号公報）。また、外部から加熱して使用する保温具としては保熱材の種類によって、エチレングリコールや水など液状の材料を袋に入れて用いるもの（例えば、実開平７−３１５号公報）や、水を吸水樹脂に吸着させて用いるもの（例えば、特開平９−１８２７６４号公報）などがある。
【特許文献１】特開平１０−２２９９９７号公報
【特許文献２】実開平７−３１５号公報
【特許文献３】特開平９−１８２７６４号公報
【考案の開示】
【考案が解決しようとする課題】
【０００３】
このように、電熱を用いて加熱するもの、蒸気や湯を用いて加熱するものなどがある。それらの保温具は、使用に先立って熱湯や電熱線その他の手段によって加熱されるが、その加熱操作が面倒である。
【０００４】
また、身体、特に、冷え易い肩や腰を局部的に温めることがあるが、肌の表面のみを温め肌が乾燥し、身体の芯まで温めることができなかった。
【０００５】
この考案は、かかる点に鑑みてなされたもので、肌が乾燥することなく、身体の芯まで温めることができ、しかも電子レンジによって簡単に加熱することができ、かつ再び加熱して使用することができるなど使用に便利な健康具を提供することを目的としている。
【課題を解決するための手段】
【０００６】
前記課題を解決し、かつ目的を達成するために、この考案は、以下のように構成した。
【０００７】
請求項１に記載の考案は、通気性及び耐熱性を有する袋と、
前記袋に封入されて加熱されてなる多数の米とを有することを特徴とする健康具である。
【０００８】
請求項２に記載の考案は、前記袋に、前記封入された多数の米を収容する収容室を区画する区画線部を設けたことを特徴とする請求項１に記載の健康具である。
【０００９】
請求項３に記載の考案は、前記袋に、取付紐を設けたことを特徴とする請求項１または請求項２に記載の健康具である。
【００１０】
請求項４に記載の考案は、前記袋は、一部に開口部を有し、
前記開口部から多数の米を入れて縫い紐で結んで封入したことを特徴とする請求項１に記載の健康具である。
【００１１】
請求項５に記載の考案は、前記袋が、細長枕形状であることを特徴とする請求項１乃至請求項４のいずれか１項に記載の健康具である。
【００１２】
請求項６に記載の考案は、前記袋が、ドーナツ形状であることを特徴とする請求項１乃至請求項４のいずれか１項に記載の健康具である。
【００１３】
請求項７に記載の考案は、前記袋が、お手玉形状であることを特徴とする請求項１乃至請求項４のいずれか１項に記載の健康具である。
【００１４】
請求項８に記載の考案は、袋が、身体の患部に応じた形状であることを特徴とする請求項１乃至請求項４のいずれか１項に記載の健康具である。      
【考案の効果】
【００１５】
前記構成により、この考案は、以下のような効果を有する。
【００１６】
請求項１に記載の考案では、健康具が、通気性及び耐熱性を有する袋と、袋に封入されて加熱されてなる多数の米とを有することで、電子レンジによって加熱すると米の温度が上昇すると共に、米に含まれる水分が蒸発する。この健康具を、身体の暖めたいところに当てると、米の温度によって暖められた袋によって身体が暖められると共に、蒸気が袋を通して身体の皮膚からにあたり、特に、冷え易い肩や腰などを局部的に、しかも身体の芯までしっとりと温めることができる。また、次に保温具を再使用する際には、健康具を保管しておくことで、米が再度空気中の水分を含むことから健康具を電子レンジによって再び加熱すると、米の温度が上昇すると共に、米に含まれる水分が蒸発し、冷え易い肩や腰などを局部的に身体の芯までしっとりと温めることができる。
【００１７】
請求項２に記載の考案では、袋に、封入された多数の米を収容する収容室を区画する区画線部を設けたことで、封入された多数の米が一方側に移動することが規制され、冷え易い肩や腰などを均等に身体の芯までしっとりと温めることができる。
【００１８】
請求項３に記載の考案では、袋に、取付紐を設けたことで、身体の暖めたい場所に取付紐を用いて結び付けて確実に身体の芯までしっとりと温めることができる。
【００１９】
請求項４に記載の考案では、袋は、一部に開口部を有し、この開口部から多数の米を入れて縫い紐で結んで封入することで、使用状況に応じて例えば小さな保温具とすることができる。
【００２０】
請求項５に記載の考案では、袋が、細長枕形状であることで、例えば腿など身体の比較的長い部分を効果的に身体の芯までしっとりと温めることができる。
【００２１】
請求項６に記載の考案では、袋が、ドーナツ形状であることで、例えば腹、胸、後頭部、尻、腰、ふくらはぎ、太ももなど身体の比較的広い部分を効果的に身体の芯までしっとりと温めることができる。
【００２２】
請求項７に記載の考案では、袋が、お手玉形状であることで、携帯に便利で、例えば膝の上、足の指の上や裏、尻のポケット、あるいは肩に乗せたり、腰に挟んだりすることができる。
【００２３】
請求項８に記載の考案では、袋が、身体の患部に応じた形状であることで、例えば女性や男性の股の部分に合わせた形状にして効果的に身体の芯までしっとりと温めることができる。
【考案を実施するための最良の形態】
【００２４】
以下、この考案の健康具の実施の形態について説明する。この考案の実施の形態は、考案の最も好ましい形態を示すものであり、この考案はこれに限定されない。
【００２５】
この考案の健康具１は、図１及び図２に示す部分を身体の芯までしっとりと温めると、血液の流れが円滑になり、あるいは神経に良好な影響を与えることなどによって、以下に説明するような効果がある。図１は人が仰向けに寝た状態を示す図、図２は人がうつぶせに寝た状態を示す図である。
【００２６】
まず、図１について説明する。左右の肩の部分１０ではかぜの防止、肩や首のこり防止、胸の部分１１では胸のひえ防止、ホルモンバランスの安定性、腹の右側の部分１２では肝臓のひえ防止、腹の左側の部分１３では脾臓の疲れ防止、腹の部分１４，１５では腹のひえ防止となる。
【００２７】
また、右腕と左腕の付け根を一体に巻いた部分１６，１７では体力の向上、右上下腕と左上下腕の関節部分１８，１９では目の疲れ防止、左右の下腕の部分２０，２１では腕の疲れ防止、左右の手の部分２２，２３では気持ちの開放で脱力感が得られる。
【００２８】
また、左右の太股の部分２４，２５や左右の膝上の部分２６，２７では体力の向上、抵抗力の向上、左右の膝の部分２８，２９では膝のひえ防止、左右の膝下の部分３０，３１では胃や腸の強化、左右の足首３２，３３では足首のひえ防止、ホルモンバランスの安定性、左右の足の部分３４，３５では冷え性の改善、体力の向上が可能になる。
【００２９】
次に、図２について説明する。頭の部分４０では婦人科系の症状の防止、後頭部の冷え防止、首の部分４１では首の疲れ防止、左右の肩の部分４２，４３では肩のこり防止、汗の出にくい人の汗出し、背中の部分４４では内臓の働きを向上させ、腹の左右の部分４５，４６では内蔵の緊張緩和、腰の部分４７では腰痛、腰のひえ防止となる。
【００３０】
また、右上腕と左上腕の部分４８，４９では腕のひえ防止、右上下腕と左上下腕の関節部分５０，５１ではひじの冷え防止、左右の下腕の部分５２，５３では腕の疲れ防止、左右の手の部分５４，５５では手のひえ防止が可能になる。
【００３１】
また、左右の臀部の部分５６，５７では座りダコがある人の座りダコの軽減、左右の腿から膝の下の部分５８，５９では気力、体力の向上が可能になる。
次に、図１及び図２に示す部分を温める健康具を、図３乃至図６に示す。
［第１の実施の形態］
図３（ａ）に示す健康具６０は、通気性及び耐熱性を有する袋６０ａと、この袋６０ａに封入されて加熱されてなる多数の米６０ｂとを有する。袋６０ａは、例えば麻で織られた布が用いられ、麻布は通気性及び耐熱性を有する。さらに、袋６０ａに設けられた区画線部６０ｃは、例えば麻糸で袋６０ａを縫い付けて設けられるが、耐熱性を有する接着剤で接着して設けても良い。袋６０ａの大きさや区画線部６０ｃによって区画された収容室６０ｃの大きさは、特に制限されない。また、この実施の形態では、袋６０ａが、細長枕形状であるが、形状も特に制限されない。
【００３２】
このように、健康具６０が、通気性を有する袋６０ａと、袋６０ａに封入されて加熱されてなる多数の米６０ｂとを有することで、電子レンジによって加熱すると米６０の温度が上昇すると共に、米６０ｂに含まれる水分が蒸発する。この健康具６０を、身体の温めたいところに当てると、米６０ｂの温度によって温められた袋６０ａによって身体が温められると共に、蒸気が袋６０ａを通して身体の皮膚からにあたり、特に、冷え易い肩や腰などを局部的に身体の芯までしっとりと温めることができる。
【００３３】
また、次に健康具６０を再使用する際には、健康具６０を保管しておくことで、米６０ｂが再度空気中の水分を含むことから健康具６０を電子レンジによって再び加熱すると、米６０ｂの温度が上昇すると共に、米６０ｂに含まれる水分が蒸発し、冷え易い肩や腰などを局部的に身体の芯までしっとりと温めることができる。
【００３４】
また、袋６０ａに、封入された多数の米６０ｂを収容する収容室６０ｄを区画する区画線部６０ｃを設けたことで、封入された多数の米６０ｂが一方側に移動することが規制され、冷え易い肩や腰などを均等に身体の芯までしっとりと温めることができる。
また、袋６０ａが、細長枕形状であることで、例えば腿など身体の比較的長い部分を効果的に身体の芯までしっとりと温めることができる。
【００３５】
図３（ｂ）に示す健康具６０は、図３（ａ）に示す健康具６０と同じ実施の形態は、同じ符号を付して説明を省略する。この実施の形態では、袋６０ａの長手方向の両側に取付紐６０ｅ，６０ｆが設けられている。この取付紐６０ｅ，６０ｆは、例えば麻の紐が耐熱性を有し好ましい。このように袋６０ａに、取付紐６０ｅ，６０ｆを設けたことで、身体の温めたい場所に取付紐６０ｅ，６０ｆを用いて結び付けて確実に身体の芯までしっとりと温めることができる。
【００３６】
この実施の形態では、健康具６０の大きさに特に限定されないが、身体の温めたい場所に結び付けるために、袋６０ａの長手方向の長さが例えば約４３ｃｍ、短手方向の長さが例えば約１０ｃｍ、取付紐６０ｅ，６０ｆの幅が約２ｃｍ、長さが約５０ｃｍが好ましい。
［第２の実施の形態］
図４に示す健康具７０は、図３に示す健康具６０と同じ実施の形態は、同じ符号を付して説明を省略する。この実施の形態では、袋６０ａが、ドーナツ形状に形成されている。袋６０ａが、ドーナツ形状であることで、例えば丸く温めたいところに用いるのが好ましく、例えば腹、胸、後頭部、尻、腰、ふくらはぎ、太ももなど身体の比較的広い部分を効果的に身体の芯までしっとりと温めることができる。
【００３７】
この実施の形態では、健康具７０の大きさに特に限定されないが、身体の丸く温めたいところに用いるために、例えば袋６０ａの外周円の直径を約２４ｃｍ、内周円の直径を約７ｃｍ、ドーナツ部の幅を約８．５ｃｍが好ましい。
［第３の実施の形態］
図５に示す健康具８０は、図３に示す健康具６０と同じ実施の形態は、同じ符号を付して説明を省略する。この実施の形態では、袋６０ａが、一部に開口部６０ｇを有し、この開口部６０ｇから多数の米６０ｂを入れて縫い紐６０ｈで結んで封入し、お手玉形状である。
【００３８】
この袋６０ａは、開口部６０ｇから多数の米６０ｂを入れて縫い紐６０ｈで結んで封入することで、使用状況に応じて例えば小さな健康具８０とすることができる。また、袋６０ａが、お手玉形状であることで、携帯に便利で、例えば膝の上、足の指の上や裏、尻のポケット、あるいは肩に乗せたり、腰に挟んだりすることができる。
【００３９】
この実施の形態では、健康具８０の大きさに特に限定されないが、身体の一部を局部的に温めたいところに用いるために、例えば袋６０ａの外周円の直径を約１０ｃｍ、高さを約１２ｃｍが好ましい。
［第４の実施の形態］
図６に示す健康具９０，９１は、図３に示す健康具６０と同じ実施の形態は、同じ符号を付して説明を省略する。この実施の形態では、袋６０ａが、身体の患部に応じた形状である。
【００４０】
このように、袋６０ａが、身体の患部に応じた形状であることで、例えば図６（ａ）に示すように円盤状の一部に凹み部６０ａ１を設けて女性の股の部分に合わせた形状にし、また図６（ｂ）に示すように円盤状の一部に凹み部６０ａ１を設け、さらに米６０ｂを入れない部分６０ａ２を設けて男性の股の部分に合わせた形状にして効果的に温めることができる。
【００４１】
図６（ａ）に示す実施の形態では、米６０ｂからの水蒸気を当てて温めることで、生理痛、不順、精神安定の効果があり、図６（ｂ）に示す実施の形態では、前立腺病予防となり、男性機能活性化、さらに男女共通では足が軽くなる、内臓機能の向上、気分のリラックス、血液血行促進、ホルモンバランスの安定、腸の機能の向上などの効果がある。
【００４２】
次に、この考案の健康具の使用を、図７及び図８に基づいて説明する。この健康具６０，７０，８０，９０，９１は、いずれも図７に示すように、電子レンジ１００で温めて使用する。電子レンジ１００での『温め時間』は、種類により異なり、健康具６０，７０，９０，９１は例えば１分から２分程温め、健康具８０は、例えば１分ほど温める。
【００４３】
また、健康具６０，７０，８０，９０，９１を用いての『保温時間』は、使用する人が着ている衣類の厚みなどにより温かさの伝わり方が異なるが、例えば２０分から４０分位は、米６０ｂから熱とともにわずかな蒸気が出ているために、「ほんわーり」、「じんわーり」癒しの温かさであり、身体も心も温まるようになる。
【００４４】
また、健康具６０，７０，８０，９０，９１が、熱い時には、図８に示すように、例えばタオルなどにくるんで調節して使用する。このタオル１１０を使っての調節は、まず上下のタオル１１０，１１１で健康具６０，７０，８０，９０，９１をくるみ、身体２００に当てる。そして、所定時間経過して健康具６０，７０，８０，９０，９１が冷めてきたら下のタオル１１１を取り、健康具６０，７０，８０，９０，９１を身体２００に直接当てて使用する。
【００４５】
次に、この考案の健康具の具体的な保温例を、図９乃至図２６に基づいて説明する。
【００４６】
図９に示す保温例では、腰痛・腰の冷え防止効果がある。図９（ａ）に示すように、寝て健康具６０を身体２００の腰２００ａの上に乗せて保温できるが、図９（ｂ）に示すように、紐６０ｅ，６０ｆで結べば起きても腰２００ａを保温することができる。
【００４７】
図１０に示す保温例では、腹のひえ防止効果がある。健康具７０の孔の部分を身体２００のへそに合わせて腹２００ｂの上に乗せると腹２００ｂが丸く温まる。
【００４８】
図１１に示す保温例では、胃痛防止効果がある。健康具７０の孔の部分を身体２００の胃２００ｃの裏側に乗せると胃２００ｃの裏側が丸く温まる。
【００４９】
図１２に示す保温例では、乳汁分泌促進・乳ガン予防効果がある。健康具７０の孔の部分を身体２００の両乳房に合わせて胸２００ｄの上に乗せると両乳房が丸く温まる。
【００５０】
図１３に示す保温例では、髪が薄くなってきたかなと思う人に抜け毛予防効果がある。健康具６０を身体２００のおでこ２００ｅの毛の生え際を優しく温め、その後、軽いタッチでマッサージする。例えば、おでこ２００ｅの毛の生え際に馬油などを付けてマッサージするとさらに効果的である。
【００５１】
図１４に示す保温例では、美しいバストを作りたい人、胸の冷える人、肩が前にすぼんでしまう人に予防効果がある。健康具６０を身体２００の胸２００ｄの上に乗せると胸から肩に亘り温まる。
【００５２】
図１５に示す保温例では、大腸の調子を良くしたい人に効果がある。健康具７０を身体２００の太もも２００ｄｆの上に乗せてじっくり温める。
【００５３】
図１６に示す保温例では、冷え性の人に効果がある。健康具８０を身体２００の足２００ｇの甲、また手２００ｈの甲の上に乗せて温める。
【００５４】
図１７に示す保温例では、足腰を伸びやかにスタイルを良くしたい人、ヒップアップしてすっと伸びた背筋にしたい人、ウエストを細くしたい人に効果がある。健康具６０を
身体２００の足首から首まで、いくつかつないで乗せて温める。
【００５５】
図１８に示す保温例では、目の疲れ防止に効果がある。健康具８０を身体２００のまゆげ２００ｉの上を中心に置いて温める。
【００５６】
図１９、図２０に示す保温例では、肩こり、首こり防止に効果がある。図１９に示す例では、健康具６０を身体２００の肩や首に巻きつけて温める。図２０に示す例では、健康具６０を身体２００のけんこう骨に沿ってクロスさせて温める。
【００５７】
図２１に示す保温例では、足の弱った人、体力の衰えを感じる人に効果がある。健康具８０を身体２００の膝２００ｊの上に乗せて温める。
【００５８】
図２２に示す保温例では、足首の冷える人に効果がある。健康具６０を身体２００の足首２００ｋに巻いて温める。
【００５９】
図２３に示す保温例では、腹や子宮を温めて健康に効果がある。図２３（ａ）に示すように、健康具７０を身体２００の腹２００ｍに乗せてほんわり子宮を温める。また、図２３（ｂ）に示すように、健康具７０を身体２００の仙骨部２００ｎに乗せて温める。
【００６０】
図２４、図２５に示す保温例では、気持ちよくする効果がある。図２４では健康具６０を手で持って、両肘２００ｏを温める。
【００６１】
図２５（ａ），（ｂ）では、座って、または寝て健康具６０を身体２００の太もも２００ｐに乗せて温める。
【００６２】
図２６では、時間が経過して健康具６０が冷めてきたら首２００ｑに巻いて温める。
【産業上の利用可能性】
【００６３】
この考案は、適度の温度に加熱した上で身体に当てる健康具に適用可能であり、肌が乾燥することなく、身体の芯まで温めることができ、しかも電子レンジによって簡単に加熱することができ、かつ再び加熱して使用することができるなど使用に便利である。
【図面の簡単な説明】
【００６４】
【図１】人が仰向けに寝た状態を示す図である。
【図２】人がうつぶせに寝た状態を示す図である。
【図３】第１の実施の形態の健康具を示す図である。
【図４】第２の実施の形態の健康具を示す図である。
【図５】第３の実施の形態の健康具を示す図である。
【図６】第４の実施の形態の健康具を示す図である。
【図７】健康具の使用を説明する図である。
【図８】健康具の温度調節をする例を説明する図である。
【図９】健康具を使用して温める例を説明する図である。
【図１０】健康具を使用して温める例を説明する図である。
【図１１】健康具を使用して温める例を説明する図である。
【図１２】健康具を使用して温める例を説明する図である。
【図１３】健康具を使用して温める例を説明する図である。
【図１４】健康具を使用して温める例を説明する図である。
【図１５】健康具を使用して温める例を説明する図である。
【図１６】健康具を使用して温める例を説明する図である。
【図１７】健康具を使用して温める例を説明する図である。
【図１８】健康具を使用して温める例を説明する図である。
【図１９】健康具を使用して温める例を説明する図である。
【図２０】健康具を使用して温める例を説明する図である。
【図２１】健康具を使用して温める例を説明する図である。
【図２２】健康具を使用して温める例を説明する図である。
【図２３】健康具を使用して温める例を説明する図である。
【図２４】健康具を使用して温める例を説明する図である。
【図２５】健康具を使用して温める例を説明する図である。
【図２６】健康具を使用して温める例を説明する図である。
【符号の説明】
【００６５】
６０，７０，８０，９０，９１  健康具
６０ａ  袋
６０ｂ  米
６０ｃ  収容室
６０ｄ  区画線部
６０ｅ，６０ｆ  取付紐
【図１】
0003136407.tif 000003
【図２】
0003136407.tif 000004
【図３】
0003136407.tif 000005
【図４】
0003136407.tif 000006
【図５】
0003136407.tif 000007
【図６】
0003136407.tif 000008
【図７】
0003136407.tif 000009
【図８】
0003136407.tif 000010
【図９】
0003136407.tif 000011
【図１０】
0003136407.tif 000012
【図１１】
0003136407.tif 000013
【図１２】
0003136407.tif 000014
【図１３】
0003136407.tif 000015
【図１４】
0003136407.tif 000016
【図１５】
0003136407.tif 000017
【図１６】
0003136407.tif 000018
【図１７】
0003136407.tif 000019
【図１８】
0003136407.tif 000020
【図１９】
0003136407.tif 000021
【図２０】
0003136407.tif 000022
【図２１】
0003136407.tif 000023
【図２２】
0003136407.tif 000024
【図２３】
0003136407.tif 000025
【図２４】
0003136407.tif 000026
【図２５】
0003136407.tif 000027
【図２６】
0003136407.tif 000028